(57)【要約】【課題】背当を後傾させた際に、使用者の臀部が前方にずれにくく着座姿勢が安定すると共に、腹部が圧迫されにくく、使用者がリラックスできる座席を提供する。【解決手段】リクライニング座席１は、設置面に対して固定されたシートフレーム１１と、第一軸Ｐ１によってシートフレーム１１に軸支され、前後に傾動自在な背当フレーム２１と、第二軸Ｐ２によってシートフレーム１１に軸支され、上下に回動自在な座部フレーム３１と、背当フレーム２１の下端に回動自在に連結された背当連結アーム４３、座部フレーム３１の前部に回動自在に連結された座部連結アーム４４、及び、背当連結アーム４３と座部連結アーム４４の夫々に対して連結された作動軸４５を有し、背当フレーム２１の第一軸Ｐ１周りの傾動を伝達して作動軸４５を回動させ、この回動を伝達して座部フレーム３１の前部を昇降させる前部昇降装置４０とを具備する。【選択図】図３
2007075427.tif 000002
【特許請求の範囲】
【請求項１】
設置面に対して固定されたシートフレームと、
第一軸によって前記シートフレームに軸支され、前後に傾動自在な背当フレームと、
第二軸によって前記シートフレームに軸支され、上下に回動自在な座部フレームと、
前記背当フレームの下端に回動自在に連結された背当連結アーム、前記座部フレームの前部に回動自在に連結された座部連結アーム、及び、前記背当連結アームと前記座部連結アームの夫々に対して連結された作動軸、
を有し、前記背当フレームの前記第一軸周りの傾動を伝達して前記作動軸を回動させ、この回動を伝達して前記座部フレームの前部を昇降させる前部昇降装置と
を具備することを特徴とするリクライニング座席。
【請求項２】
レグレストフレームと、
該レグレストフレームの前部に回動自在に連結された第一アーム、該第一アームと前記座部フレームの夫々に対して回動自在に連結された第二アーム、前記レグレストフレームの後部に回動自在に連結されると共に、前記第一アームと交差し互いに回動自在に組付けられた第三アーム、及び、該第三アームと前記シートフレームの夫々に対して回動自在に連結された第四アーム、
を有し、前記レグレストフレームを、前記座部フレームの前方で前記座部フレームに対して折畳まれた収納姿勢と、前記座部フレームに対して展開された展開姿勢との間で変位させるレグレスト変位装置と
を更に具備することを特徴とする請求項１に記載のリクライニング座席。
【発明の詳細な説明】
【技術分野】
【０００１】
本発明は、背当を後方に傾動させることができるリクライニング座席に関するものである。
【背景技術】
【０００２】
従来より、自動車、電車、航空機等の乗物用座席、理美容院の洗髪用座席、歯科診療用の座席等として、背当が後方に傾動するリクライニング座席が使用されている。このようなリクライニング座席において、通常の使用位置から、座部の位置はそのままで背当のみが後傾する場合、使用者の大腿部から臀部にかけては、座面上を前方に滑り易くなる。そのため、着座姿勢が不安定となり、座り心地が悪いものであった。そこで、本出願人は、背当の後傾に伴って座部の前端が上昇する乗物用座席を提案している（特許文献１）。これは、背当と座部とが側面視略Ｌ字状に一体的に形成され、乗物の床に固定される支持枠に対してＬ字の屈曲部分で軸支され、この軸周りに傾動するものである。
【０００３】
【特許文献１】特開２００１−７００７４号公報
【発明の開示】
【発明が解決しようとする課題】
【０００４】
上記の乗物用座席によれば、背当の後傾に伴って座部の前端が上昇することにより、相対的に座部の後端が下がるため、座部後端と背当との間に使用者の臀部が納まり、着座姿勢が安定したものとなる。また、この乗物用座席によれば、背当と座部とのなす角度が、座席の傾動の前後で変わらず、座席と使用者との当接点が移動しないため、使用者は自分の好みの姿勢を保持したまま、座席をリクライニングさせたり起こしたりすることができる。このことは、傾動の前後で姿勢を調整し直す必要がないという点で、大変優れた利点である。しかしながら、その一方で、背当が起立した状態にあるときに上半身と大腿部とのなす角度が、リクライニングさせた後も変わらないことで、使用者によっては、腹部が圧迫されるように感じたり、窮屈に感じたりすることがあった。そのため、リクライニングさせた際の座り心地がより良い座席、例えば、長距離移動用のバスや電車の乗客が、座席を倒してゆっくりとくつろぎ、十分に睡眠をとることができるような座席が望まれていた。
【０００５】
そこで、本発明は、上記の実情に鑑み、背当を後傾させた際に、使用者の大腿部や臀部が前方にずれにくく着座姿勢が安定すると共に、腹部が圧迫されにくく、使用者がリラックスできる座席を提供することを課題とするものである。
【課題を解決するための手段】
【０００６】
上記の課題を解決するため、本発明にかかるリクライニング座席は、「設置面に対して固定されたシートフレームと、第一軸によって前記シートフレームに軸支され、前後に傾動自在な背当フレームと、第二軸によって前記シートフレームに軸支され、上下に回動自在な座部フレームと、前記背当フレームの下端に回動自在に連結された背当連結アーム、前記座部フレームの前部に回動自在に連結された座部連結アーム、及び、前記背当連結アームと前記座部連結アームの夫々に対して連結された作動軸、を有し、前記背当フレームの前記第一軸周りの傾動を伝達して前記作動軸を回動させ、この回動を伝達して前記座部フレームの前部を昇降させる前部昇降装置とを」具備して構成されている。
【０００７】
シートフレームは、本発明のリクライニング座席を床等の設置面に対して固定すると共に、後述の背当フレームや座部フレームを支持するものである。例えば、設置面に固定された脚体を介して、シートフレームが設置面に対して固定される構成とすることができる。或いは、シートフレームが設置面に直接立設する構成とすることもできる。また、背当フレームは、使用者が背をもたれさせる背当の骨格となる構成であり、座部フレームは、使用者が臀部や大腿部を載置する座部の骨格となる構成である。
【０００８】
作動軸は、軸周りの回動により、ある方向から加えられた力を、異なる方向への力として転換して出力するものであり、例えば、Ｌ字形状のアームが、その屈曲部に設けられた軸を中心として回動する構成を例示することができる。或いは、軸周りに回動自在な板状体に、入力点及び出力点が異なる位置に設けられた構成を例示することもできる。
【０００９】
従って、本発明のリクライニング座席によれば、背当フレームの上端が第一軸周りに後傾すると、背当フレームの下端が第一軸周りに前方に回動し、背当フレームの下端と連結された背当連結アームが前方に押される。これに伴い、背当連結アームと連結された作動軸が回動し、この回動に伴って作動軸に連結された座部連結アームが回動する。この座部連結アームは、座部フレームの前部に連結されている。そのため、座部連結アームの回動によって座部フレームの前部が持上げられるように、背当連結アーム及び座部連結アームの形状や作動軸との連結位置を設定することにより、背当フレームの後傾に連動させて、座部フレームを第二軸周りに回動させ、座部フレームの前部を上昇させることができる。そして、このように座部フレームの前部が上昇することにより、相対的に座部フレームの後部が降下する。換言すれば、使用者の臀部が背当と座部との境界付近で沈み込むこととなるため、使用者の上半身に対して背当の傾斜に沿ってずり落ちるよう働く力が、座部で受けとめられる。これにより、使用者の大腿部や臀部が座面上で前方にずれにくいものとなり、着座姿勢を安定させることができる。
【００１０】
加えて、シートフレームに対して、背当フレームと座部フレームとが別個に軸支されているため、背当フレームの傾動とこれに応じた座部フレームの回動とを、異なる角度に設定することが容易となる。すなわち、背当を後傾させる角度に対して、座部の前部の上方への回動角度を小さく設定することにより、座面上を大腿部や臀部が前方へずれることを防止しつつ、更に、腹部への圧迫を抑制し、使用者がゆったりした姿勢をとることができる座席とすることができる。
【００１１】
また、本発明にかかるリクライニング座席は、「レグレストフレームと、該レグレストフレームの前部に回動自在に連結された第一アーム、該第一アームと前記座部フレームの夫々に対して回動自在に連結された第二アーム、前記レグレストフレームの後部に回動自在に連結されると共に、前記第一アームと交差し互いに回動自在に組付けられた第三アーム、及び、該第三アームと前記シートフレームの夫々に対して回動自在に連結された第四アーム、を有し、前記レグレストフレームを、前記座部フレームの前方で前記座部フレームに対して折畳まれた収納姿勢と、前記座部フレームに対して展開された展開姿勢との間で変位させるレグレスト変位装置とを」具備するものとすることができる。
【００１２】
レグレストフレームは、使用者のふくらはぎ部分を支持するレグレストの骨格となる構成である。なお、レグレストフレームへの第一アーム及び第三アームの取付け位置についての「前部」及び「後部」は、レグレストが使用者のふくらはぎ部分を支持するように展開された展開姿勢をとった状態での、レグレストフレームにおける前部及び後部をさすものとする。
【００１３】
従って、本発明のリクライニング座席によれば、第一アーム、第二アーム、第三アーム、及び第四アームの動作によって収納姿勢と展開姿勢との間で変位するレグレストフレームが、座部フレームの動きに常に追従することとなる。すなわち、上記のように、座部フレームは、背当フレームの前後方向への傾動に連動して回動する可動部分であるため、座部の前部の上昇に伴ってレグレストと座面との間隙が広がったり、座部の前部の下降に伴ってレグレストが座部と干渉したり、或いは座面よりレグレストの方が高くなったりするおそれがある。しかしながら、本発明では、第一アーム及び第二アームを介してレグレストフレームが座部フレームに対して連結されていることにより、座部フレームがどのような位置にあっても、またレグレストフレームがどのような姿勢をとっていても、常に座部とレグレストとの間に適切な位置関係を保持することができる。
【発明の効果】
【００１４】
以上のように、本発明の効果として、座席をリクライニングさせた際に、使用者の大腿部や臀部が座面上を前方にずれにくいものとなり着座姿勢が安定すると共に、腹部への圧迫を抑制することができ、使用者がリラックスして使用することができる座席となる。
【発明を実施するための最良の形態】
【００１５】
以下、本発明の一実施形態であるリクライニング座席について、図１乃至図８に基づいて説明する。本実施形態では、本発明のリクライニング座席を、長距離移動用の乗物で乗客が使用する座席に適用する場合について例示する。ここで、図１は本実施形態のリクライニング座席の構成を示す側面図、図２乃至図７は、図１のリクライニング座席の動作を説明する説明図、図８（ａ）は図１のリクライニング座席の部分を示す斜視図、図８（ｂ）はその側面図である。
【００１６】
本実施形態のリクライニング座席１（以下、単に「座席１」と称する）は、主に図１に示すように、シートフレーム１１と、背当フレーム２１と、座部フレーム３１と、座部フレーム３１の前部を昇降させる前部昇降装置４０と、レグレストフレーム５１と、レグレストフレーム５１を変位させるレグレスト変位装置６０とを主に具備して構成されている。
【００１７】
更に詳細に説明すると、図１、図２及び図４に示すように、シートフレーム１１は、設置面に固定された左右一対の脚体８２の上方に設けられ、脚体８２を介して設置面に対して固定されている。そして、このシートフレーム１１は、座部３０を左右から支持するように前後に延びた一対の側板１３と、この一対の側板１３間に横架された二つの横架材１４間に架渡された支持プレート１５とを有して構成されている。また、背当フレーム２１は、背当２０のクッション２９を支持する一対の縦長の部材である。そして、夫々の背当フレーム２１は、側板１３の夫々の内側に配された上で、略水平な第一軸Ｐ１によって側板１３に対して軸支され、第一軸Ｐ１を中心として前後に傾動自在な構成とされている。ここで、背当フレーム２１は、その下端より上方で第一軸Ｐ１に軸支されている。更に、座部フレーム３１は、座部３０のクッション３９を載置可能な平板で、平面視略Ｕ字状に形成されている。そして、Ｕ字の二本の腕部分が、略水平な第二軸Ｐ２によって一対の側板１３の夫々に対して軸支されることにより、第二軸Ｐ２を中心として上下方向に回動可能な構成とされている。なお、夫々の側板１３に対して、第二軸Ｐ２の位置は、第一軸Ｐ１のごく近傍で、その若干下方かつ前方に設定されている。
【００１８】
前部昇降装置４０は、背当フレーム２１の傾動に連動させて、座部フレーム３１の前部を昇降させるものであり、図２及び図３に示すように、背当フレーム２１に連結された背当連結アーム４３と、座部フレーム３１に連結された座部連結アーム４４と、背当連結アーム４３及び座部連結アーム４４の夫々に対して連結された作動軸４５とを有して構成されている。ここで、背当連結アーム４３は、略へ字状に形成された細長いアームであり、軸Ｐ３によって背当フレーム２１の下端に回動自在に連結されている。また、座部連結アーム４４は、ほぼ直線状の短いアームであり、軸Ｐ４によって座部フレーム３１の前端に回動自在に連結されている。更に、作動軸４５は、シートフレーム１１の前部で一対の側板１３間に略水平に設けられた中心軸Ｐ５と、これに対して側面視略Ｌ字を形成するように固定的に取付けられた入力アーム４６ａ及び出力アーム４６ｂによって構成されている。そして、入力アーム４６ａが背当連結アーム４３に対して回動自在に連結され、出力アーム４６ｂが座部連結アーム４４に対して回動自在に連結されている。この際、入力アーム４６ａ及び出力アーム４６ｂは、中心軸Ｐ５に対して夫々直交するように連結されており、側面視は略Ｌ字であるが、中心軸Ｐ５への固着位置は離れている。なお、背当連結アーム４３、座部連結アーム４４、入力アーム４６ａ及び出力アーム４６ｂは、中心軸Ｐ５に対して左右対称に夫々一対が設けられている。
【００１９】
加えて、座席１には、背当フレーム２１を任意の傾動角度で保持すると共に、前傾方向に付勢する油圧ロック付のガススプリング、いわゆるフリーロック４７が備えられている。このフリーロック４７は一方の側板１３と座部フレーム３１との間に固定されており、そのピストンロッド４７ｂは、背当フレーム２１が起立状態にあるときに押出された状態で、一対の背当フレーム２１の下端を連結する軸（図示しない）に連結されている。この軸は、背当連結アーム４３を背当フレーム２１の下端に連結する軸Ｐ３と同一の軸とすることもできる。また、フリーロック４７のロック及びその解除を行う操作部４９（図１参照）とはワイヤ（図示しない）で連結されており、この操作部４９は、一対の側板１３の夫々の外側に張られた外装パネル８０（図１参照）の一方の上面に設けられている。これにより、操作部４９を操作してロックを解除し、背当２０に体重をかけて後方に押すことにより、ピストンロッド４７ｂがフリーロック４７のシリンダ内に押込まれ、背当フレーム２１が第一軸Ｐ１周りに回動して背当２０が後傾する。この際、任意の傾動角度で操作部４９を操作してピストンロッド４７ｂをその位置にロックすれば、背当２０がその角度に保持される。これと共に、背当フレーム２１の下端を連結する軸は、ピストンロッド４７ｂが押込まれたフリーロック４７のガス圧によって後方に付勢される。すなわち、背当フレーム２１は前傾する回動方向に付勢される。そして、背当２０を元の起立位置に戻すときは、再度ロックを解除すれば、この付勢力により背当フレーム２１は前傾して背当２０が起立する。なお、ピストンロッド４７ｂが限界を超えて引き出されることを防止するため、シートフレーム１１にはストッパ（図示しない）が設けられ、背当フレーム２１が所定角度以上は前傾しない構成とされている。
【００２０】
レグレストフレーム５１は、レグレスト５０の底面に取付けられる略長方形の板状の部材であり、一対の辺がほぼ直角に同一方向に折曲げられている。そして、図４及び図５に示すように、このレグレストフレーム５１の前部の折曲げ部分には、直線状の短い第一アーム６１が軸Ｑ１によって回動自在に取付けられ、後端近傍の折曲げ部分には比較的長く屈曲した第三アーム６３が軸Ｑ３によって回動自在に取付けられている。なお、レグレストフレーム５１の前部及び後端とは、レグレストフレーム５１が展開姿勢にあるとき（図５）の前部及び後端である。そして、第一アーム６１の他端には、第三アーム６３と同程度の長さの第二アーム６２が回動自在に取付けられ、この第二アーム６２の他端は、軸Ｑ２によって座部フレーム３１の前端に回動自在に軸支されている。また、第三アーム６３の他端には若干屈曲した第四アーム６４が回動自在に取付けられ、その他端は軸Ｑ４よってシートフレーム１１の支持プレート１５に回動自在に取付けられている。加えて、第三アーム６３は、その屈曲部の近傍で第二アーム６２と交差し、軸Ｑ５周りに互いに回動自在に組付けられている。この第二アーム６２と第三アーム６３とが交差する位置は、第二アーム６２においては軸Ｑ２に連結される端部から軸Ｑ５までの距離が、他端から軸Ｑ５までの距離よりも短く、第三アーム６３においては軸Ｑ３に連結される端部から軸Ｑ５までの距離が、他端から軸Ｑ５までの距離よりも短いものに設定されている。また、本実施形態では、第一アーム６１及び第二アーム６２は、夫々一対がレグレストフレーム５１の左右に設けられているが、第三アーム６３及び第四アーム６４は、レグレストフレーム５１の左右の一方に設けられている。そして、第三アーム６３及び第四アーム６４を具備しない側では、軸Ｑ３及び軸Ｑ５の夫々に対して回動自在に取付けられた直線状の短い第五アーム６５によって、レグレストフレーム５１の後端と第二アーム６２とが連結されている。すなわち、レグレストフレーム５１の後端は、左右の一方のみが支持される片持支持から、他方も第五アーム６５を介して座部フレーム３１に支持される両持支持の状態となる。従って、レグレストフレーム５１の左右の一方が、第一アーム６１、第二アーム６２、第三アーム６３及び第四アーム６４の動作によって変位する際に、レグレストフレーム５１全体が安定して変位することとなる。そして、レグレスト変位装置６０の構成をこのように簡略化することにより、座席１の製造を簡易なものとすると共にコストダウンを図ることができる。なお、レグレストフレーム５１及びレグレスト変位装置６０の各構成は、座席１の左右方向のほぼ中央に位置するように設けられている。
【００２１】
また、座席１には、レグレストフレーム５１を任意の位置で保持すると共に、展開した位置へ付勢するフリーロック６７が備えられている。このフリーロック６７は座部フレームの下方の空間で、一対の第二アーム６２を連結する軸Ｑ６のほぼ中央に回動自在に取付けられている。このフリーロック６７のピストンロッド６７ｂは、レグレスト５０が収納姿勢にあるときにシリンダ内に押込まれた状態で、その先端がシートフレーム１１の横架材１４に固定されたロッド受部６８に取付けられ、軸Ｑ７周りに回動自在な構成とされている。このフリーロック６７の動作は上記のフリーロック４７と同様であり、ピストンロッド６７ｂの伸縮により、フリーロック６７が取付けられた軸Ｑ６が押し引きされ、これによって第二アーム６２が軸Ｑ２周りに回動する。そして、第二アーム６２の回動に伴い、フリーロック６７も軸Ｑ７周りに回動する。なお、フリーロック６７の油圧ロック機構により、レグレストフレーム５０を任意の位置で保持することができる。また、フリーロック６７のロック及び解除を行う操作部６９（図１参照）は、上述の操作部４９に対向するように、もう一方の外装パネル８０（図１参照）の上面に設けられている。更に、第二アーム６２がフリーロック６７によって押し引きされる位置、すなわち第二アーム６２における軸Ｑ６の位置は、第二アーム６２と第一アーム６１との連結位置、及び第二アーム６２と第三アーム６３との交差位置の中央付近に設定されている。なお、第二アーム６２は、この軸Ｑ６との連結位置から第一アーム６１側の端部に向かって、軸Ｑ１側に中心を持つ円弧状に形成されている。
【００２２】
更に、本実施形態の座席１は、使用者の足を支持するフットレスト７０を備えている。このフットレスト７０の骨格をなすフットレストフレーム７１は、図８（ａ）に示すように、略長方形の板状体７２と、この板状体７２に対して直角をなす一対の取付板７３とを有して構成されている。そして、座席１の後部で一対の側板１３間に設けられた略水平の軸Ｑ８を、一対の取付板７３の孔部７４に挿通させることにより、図８（ｂ）に示すように、フットレスト７０が座席１の背面方向から取付けられる。すなわち、座席１の背後で、フットレスト７０が軸Ｑ８を中心として上下に回動自在（図示矢印Ａの方向）な構成とされている。また、座部フレーム３１と一方の側板１３の間にガススプリング７７が固定的に取付けられており、このロッド７７ｂは、取付板７３の孔部７４近傍に設けられた軸Ｑ９に連結されている。そして、フットレスト７０が下側に回動して、使用者の足を支持する足支持面７５を上に向けた使用位置にあるときに、軸Ｑ８がガススプリング７７の長軸の延長線上に位置するように設定される。これにより、フットレスト７０が使用位置にある場合、ガススプリング７７のピストンは平衡状態にあり、フットレスト７０に対して上向きの力が加えられると、この平衡が崩れてフットレスト７０が上側に回動し、足支持面７５が背当２０の背面に向いた収納位置に変位する。
【００２３】
次に、本実施形態の座席１の動作を、図２乃至図５に基づいて説明する。まず、図２に示すように起立状態にある状態から、背当２０を後傾させる場合は、操作部４９（図１参照）を操作して上記のようにフリーロック４７のロックを解除し、背当２０を後方に押して背当フレーム２１の下端を第一軸Ｐ１周りに前方へ回動させる。これにより、図３に示すように、背当フレーム２１の下端に連結された背当連結アーム４３が、軸Ｐ３周りに回動しつつ前方へ押される。これに伴い、この背当連結アーム４３の他端が連結された入力アーム４６ａが前方に押されるが、入力アーム４６ａの他端は中心軸Ｐ５に固定的に取付けられているため、この中心軸Ｐ５が回動する。これにより、この中心軸Ｐ５に固定された出力アーム４６ｂが中心軸Ｐ５周りに回動する。従って、入力アーム４６ａと出力アーム４６ｂの長さ及び角度の設定により、出力アーム４６ｂに連結された座部連結アーム４４を上方に押上げ、これを介して、軸Ｐ４によって座部連結アーム４４と連結された座部フレーム３１の前部を上方に押上げることができる。一方、背当フレーム２１を元の起立状態に戻す場合は、操作部４９の操作によりフリーロック４７のロックを解除し、付勢されているピストンロッド４７ｂで背当フレーム２１の下端を後方に押し、各構成が上記と逆の動作をすることにより、背当フレーム２１を起立させると共に、座部フレーム３１を下降させることができる。すなわち、背当フレーム２１の傾動に連動して、座部フレーム３１の前端を上昇または下降させることができる。この際、フリーロック４７の油圧ロック機構により、使用者の好みの任意の角度で背当２０を保持することができ、座部３０の前端もこれに応じた高さで保持される。
【００２４】
また、本実施形態では、背当フレーム２１を最大３５度後傾させたときに、座部フレーム３１が約５度（座部の前端が上昇する高さとして、４０ｍｍ）回動する設定とされている。これは、背当フレーム２１及び座部フレーム３１の中心軸を異なる軸に設定することにより、背当フレーム２１と座部フレーム３１との動作を連動させながらも、夫々の回動角度を異なる設定とすることが容易となったものである。
【００２５】
次に、レグレスト５０を使用する場合について説明する。レグレスト５０を使用していないとき、レグレストフレーム５１は、図４に示すように、レグレスト変位装置６０を構成する各アームを折畳むように、使用者のふくらはぎ部を支持する脚支持面５５（図１及び図６参照）を正面に向けて垂下させた収納姿勢をとっている。この状態で、操作部６９（図１参照）の操作によりフリーロック６７のロックを解除すると、ピストンロッド６７ｂが押出され、フリーロック６７が取付けられている軸Ｑ６と共に第二アーム６２が前方に押される。これにより、第二アーム６２が軸Ｑ２周りに上側に回動し、図５に示すように、第二アーム６２に回動自在に連結された第一アーム６１を介して、レグレストフレーム５１の前部が上昇する。このとき、レグレストフレーム５１の後端に連結された第三アーム６３と、第三アーム６３とシートフレーム１１（支持プレート１５）を連結している第四アーム６４により、レグレストフレーム５１の後端が後方に引張られるため、脚支持面５５を上に向けるようにレグレストフレーム５１が展開される。
【００２６】
逆に、フリーロック６７のロックを解除し、脚支持面５５を下方に押せば、ピストンロッド６７ｂがシリンダ内に押し込まれ、軸Ｑ６と共に第二アーム６２が軸Ｑ２周りに下側に回動し、第一アーム６１を介してレグレストフレーム５１の前部が下降する。このとき、第三アーム６３及び第四アーム６４によって、レグレストフレーム５１の後端を前方に押すように力が加えられることにより、レグレストフレーム５１は脚支持面５５を正面に向けてほぼ鉛直方向に立垂する。すなわち、レグレストフレーム５１は、レグレスト変位装置６０の構成である第一アーム６１、第二アーム６２、第三アーム６３、及び第四アーム６４の動作により、脚支持面５５が上方を向き座面と所定角度を形成するよう展開される展開姿勢と、座部フレーム３１の前方でほぼ鉛直方向に脚支持面５５が垂下される収納姿勢との間で変位する。また、第二アーム６２と第三アーム６３が軸Ｑ５で交差するように組付けられていることにより、各アームがパンタグラフ状の構成となる。これにより、レグレストフレーム５１が展開される際、前方に延びつつ上昇することとなり、座部フレーム３１の前端との干渉が防止される。なお、フリーロック６７の油圧ロック機構により、使用者の好みの任意の位置にレグレストフレーム５１を展開させ、その姿勢を保持することができる。
【００２７】
そして、第一アーム６１及び第二アーム６２を介して、レグレストフレーム５１が座部フレーム３１に連結されていることにより、レグレストフレーム５１は常に座部フレーム３１の動きに追従することとなる。すなわち、背当２０はレグレスト５０の動作とは別個に傾動させることができ、これに伴って座部３０もまたレグレスト５０とは別個に動作するものであるが、背当２０の傾動により座部３０の前端がどのような高さに昇降しても、そして、その際に、レグレスト５０が収納姿勢と最大限展開された展開姿勢との間のどのような姿勢をとっていても、レグレスト５０がそれに追従して動作する。例えば、レグレスト５０が収納姿勢にある状態で背当２０を後傾させた場合、レグレスト５０は、座部３０の前端の上昇に伴って図６（ａ）の状態から図６（ｂ）の状態に変位する。これらの図から明らかなように、レグレスト５０は座部３０の前方で収納姿勢を保持したまま、座部３０と共に上昇する。これにより、レグレスト５０が変位することなく座部３０のみが持上げられた場合のように、レグレスト５０が使用者のかかと付近に当接する等して邪魔になることが防止される。
【００２８】
また、レグレスト５０を展開させた状態で背当２０を後傾させた場合、レグレスト５０は、座部３０の前端の上昇に伴って、図７（ａ）の状態から図７（ｂ）の状態に変位する。これらの図から明らかなように、レグレスト５０は、座部３０の前端との間に適切な距離を保持しつつ、展開された状態のまま上昇する。これにより、レグレスト５０が変位することなく座部３０のみが持上げられた場合のように、座部３０とレグレスト５０との間隙が広く開き、使用者の脚部の支持が不安定となることが防止される。
【００２９】
上記に説明したように、本実施形態の座席１によれば、座席１をリクライニングさせた際に、使用者の大腿部や臀部が座面上を前方にずれにくいものとなり、着座姿勢が安定して座り心地の良いものとなる。また、背当２０を後傾させる角度に対して、座部３０の前部の上方への回動角度を小さく設定することが可能となることにより、腹部への圧迫を低減し、使用者がリラックスして使用することが可能な座席１となる。
【００３０】
また、背当２０の傾動に伴って変位する座部３０に対して、レグレスト５０が常に追従して動作する。そのため、レグレスト５０を使用する場合にあっては、座部３０及び背当２０がどのような位置にあっても使用者のふくらはぎ部が適切に支持される。また、レグレスト５０を使用しない場合にあっては、座部３０及び背当２０がどのような位置にあっても、レグレスト５０が邪魔にならない位置に収納される。これにより、座り心地が良いと共に使い勝手の良い座席１となる。
【００３１】
そして、背当２０を好みの角度に後傾させると共に、座部３０の前端の上昇によって姿勢を安定させ、更に、レグレスト５０を好みの角度に展開させてふくらはぎ部を載置し、加えて、前列の座席１に取付られたフットレスト７０に足を載置することにより、使用者が自分にとって楽な姿勢をとることができる。これにより、長距離の移動時であっても、ゆっくりとくつろぎ、必要に応じて睡眠をとることができる座席１となる。
【００３２】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００３３】
例えば、本実施形態では、本発明のリクライニング座席を、長距離移動する乗物の乗客用の座席に適用する場合を例示したが、これに限定されず、理美容用の座席や歯科診療用の座席等に適用することができる。また、本実施形態では、レグレスト及びフットレストを備える構成としたが、これに限定されず、レグレスト及びフットレストの何れか、或いは両方を備えない構成とすることができる。
【００３４】
また、前部昇降装置の構成となるアームや、レグレスト変位装置の構成となるアームの形状、連結する位置関係等は本実施形態で例示したものに限定されず、座席の大きさ、座席の周囲の空間の大きさ等に応じて、適宜設定することができる。更に、本実施形態では、レグレスト変位装置において、第三アーム及び第四アームをレグレストフレームの左右の一方に設ける場合を例示したが、これに限定されない。例えば、第一アーム、第二アーム、第三アーム及び第四アームの夫々一対が、レグレストフレームに対して左右対称に設けられる構成とすることができる。加えて、本実施形態では、背当フレームの３５度の傾動に対して、座部フレームが約５度回動する設定とした場合を例示したが、両者の関係はこれに限定されるものではなく、座席の用途等に応じて、適宜設定することができる。
【図面の簡単な説明】
【００３５】
【図１】本発明の一実施形態のリクライニング座席の構成を示す側面図である。
【図２】図１のリクライニング座席の動作を示す説明図である。
【図３】図１のリクライニング座席の動作を示す説明図である。
【図４】図１のリクライニング座席の動作を示す説明図である。
【図５】図１のリクライニング座席の動作を示す説明図である。
【図６】図１のリクライニング座席の動作を示す説明図である。
【図７】図１のリクライニング座席の動作を示す説明図である。
【図８】（ａ）は図１のリクライニング座席の部分を示す斜視図、（ｂ）は側面図である。
【符号の説明】
【００３６】
１  座席（リクライニング座席）
１１  シートフレーム
１３  側板（シートフレーム）
１５  支持プレート（シートフレーム）
２１  背当フレーム
３１  座部フレーム
４０  前部昇降装置
４３  背当連結アーム
４４  座部連結アーム
４５  作動軸
４６ａ  入力アーム（作動軸）
４６ｂ  出力アーム（作動軸）
５１  レグレストフレーム
６０  レグレスト変位装置
６１  第一アーム
６２  第二アーム
６３  第三アーム
６４  第四アーム
Ｐ１  第一軸
Ｐ２  第二軸
Ｐ５  中心軸（作動軸）
【図１】
2007075427.tif 000003
【図２】
2007075427.tif 000004
【図３】
2007075427.tif 000005
【図４】
2007075427.tif 000006
【図５】
2007075427.tif 000007
【図６】
2007075427.tif 000008
【図７】
2007075427.tif 000009
【図８】
2007075427.tif 000010